(57)【要約】【課題】支持強度が強固であり、クロスコーキングが天井材から剥離してしまうおそれがない間仕切壁の天井固定構造を提供することにある。【解決手段】天井スラブから吊り下げられている複数の野縁受けを設け、前記野縁受けに橋架されて並設されている天井野縁１ａ、１ｂを配設し、前記天井野縁１ａ、１ｂの間に固定用木材３を配設し、前記固定用木材３とその両側に配設されている前記天井野縁１ａ、１ｂとをねじくぎ４ａで固定してなり、前記固定用木材３の下部に間仕切壁パネル２を配設し、前記固定用木材３と前記間仕切壁パネル２の上端の枠材２１とをねじくぎ４ｂで固定してなる。【選択図】  図２
2004232200.tif 000002
【特許請求の範囲】
【請求項１】
天井スラブから吊り下げられている複数の野縁受けを設け、前記野縁受けに橋架されて並設されている天井野縁を配設し、前記天井野縁の間に固定用木材を配設し、前記固定用木材とその両側に並設されている前記天井野縁とをくぎで固定してなり、前記固定用木材の下部に間仕切壁パネルを配設し、前記固定用木材と前記間仕切壁パネルの上端の枠材とをくぎ止めしてなることを特徴とする間仕切壁の天井固定構造。
【請求項２】
並設した前記天井野縁の間に空間を有するように、前記間仕切壁パネルよりも長さが短い前記固定用木材を複数個配設してなることを特徴とする請求項１記載の間仕切壁の天井固定構造。
【請求項３】
前記天井野縁と前記固定用木材との間に固定用係止片を設けて両者を係止することを特徴とする請求項１又は請求項２記載の間仕切壁の天井固定構造。
【請求項４】
前記固定用係止片は、前記天井野縁の上面に係止される上鍔部を有するものであることを特徴とする請求項３記載の間仕切壁の天井固定構造。
【請求項５】
二重床の上面床材上に前記間仕切壁パネルを配設し、天井裏から前記間仕切壁パネルの内部を通過させて前記二重床の内部に電線を配線してなることを特徴とする請求項１乃至請求項４記載の間仕切壁の天井固定構造。
【発明の詳細な説明】
【０００１】
【発明の属する技術分野】
本発明は、マンション等で部屋の間仕切に用いられる間仕切壁の天井固定構造に関するものである。
【０００２】
【従来の技術】
近年、住宅の居住条件や生活態様の変化に伴い、住居人の要望に合わせて、マンション等では室内空間を間仕切壁によって区分変更することが行われている。壁を床と天井とで固定する構造にしてしまうと、区分変更はできなくなる。また、最近は、床下に電力線や通信線等の電線を収納することが可能な二重床構造がマンション等でも取り入れられている。このような二重床構造では、上面床材は、間仕切壁の荷重を支持するだけの強度がない。以上の理由ために、間仕切壁は天井で固定する構造とすることが多い。
【０００３】
このような間仕切壁の天井固定構造の従来例を図６及び図７（ａ）に示す。図６は、間仕切壁パネルの天井固定構造の斜視図であり、図７（ａ）は、固定部を各大した断面図である。図６に示すように屋根裏に並設されている２本の天井野縁１ａ、１ｂの下部に鉄製の固定平板９を配設し、図７（ａ）に示すように固定板９と天井野縁１ａ、１ｂ及び間仕切壁パネル２の枠材２１とをねじくぎ４１で固定することで、間仕切壁パネル２を天井に固定する。この後に、間仕切壁パネル２と天井材６５とのコーナー部にクロスコーキング６７を施す。また、この天井固定方法を改良したものが、特開平８−１４４３９９号公報に開示されている。
【０００４】
【特許文献１】
特開平８−１４４３９９号公報（第２―３頁、図１）
【０００５】
【発明が解決しようとする課題】
図７（ａ）に示す間仕切壁パネル２の天井固定構造では、間仕切壁パネル２は、垂直方向にしか支持されていない。固定平板９が経時変化や振動等で変形すると、図７（ｂ）に示すように、間仕切壁パネル２が、下方に垂下してしまうことがあった。この場合、間仕切壁パネル２が倒壊してしまうことはないにしても、クロスコーキング６７の一部が天井材６５から剥離して外観を損なうことがあった。また、特許文献１に開示されている天井固定構造であっても、同様のおそれがあった。
【０００６】
本発明は、かかる事由に鑑みてなしたもので、その目的とするところは、支持強度が強固であり、クロスコーキングが天井材から剥離してしまうおそれがない間仕切壁の天井固定構造を提供することにある。
【０００７】
【課題を解決するための手段】
請求項１に係る発明の間仕切壁の天井固定構造は、天井スラブから吊り下げられている複数の野縁受けを設け、前記野縁受けに橋架されて並設されている天井野縁を配設し、前記天井野縁の間に固定用木材を設け、前記固定用木材とその両側に並設されている前記天井野縁とをくぎで固定してなり、前記固定用木材の下部に間仕切壁パネルを設け、前記固定用木材と前記間仕切壁パネルの上端の枠材とをくぎ止めしてなることを特徴としている。
【０００８】
請求項２に係る発明の間仕切壁の天井固定構造は、請求項１の構成において、並設した前記天井野縁の間に空間を有するように、前記間仕切壁パネルよりも長さが短い前記固定用木材を複数個配設してなることを特徴としている。
【０００９】
請求項３に係る発明の間仕切壁の天井固定構造は、請求項１又は請求項２の構成において前記天井野縁と前記固定用木材との間に固定用係止片を設けて両者を係止することを特徴としている。
【００１０】
請求項４に係る発明の間仕切壁の天井固定構造は、請求項３の構成において、前記固定用係止片は、前記天井野縁の上面に係止される上鍔部を有するものであることを特徴としている。
【００１１】
請求項５に係る発明の間仕切壁の天井固定構造は、請求項１乃至請求項４の構成において、二重床の上面床材上に前記間仕切壁パネルを配設し、天井裏から前記間仕切壁パネルの内部を通過させて前記二重床の内部に電線を配線してなることを特徴としている。
【００１２】
【発明の実施の形態】
（実施形態１）
本実施形態に係る間仕切壁の天井固定構造を、図１〜３に基づいて説明する。図１は、本実施形態の天井固定構造の主要部の正面図であり、図２は、本実施形態の天井固定構造の断面図であり、図３は、本実施形態の天井固定構造の主要部を拡大した断面図である。
【００１３】
１ａ、１ｂは、天井野縁で、図１に示すように、略直方体の長尺の木材である。また、このものは、天井スラブ６１から吊り下げられている吊りボルト６２によって固定されている断面がコ字状の野縁受け６３に両端を支持されて並設されている。
【００１４】
２は、間仕切壁パネルであり、両面は石膏ボードの壁材２３であり、難燃化がはかられている。また、上端部と下端部は、木片の枠材２１、２２であり、この内部は空洞部２４となっていることで、軽量化がはかられている。
【００１５】
３は、固定用木材であり、幅と高さは、は間仕切壁パネル２と略同じとなっている。このものは当然のことながら木材からなり、切削やくぎ止め等の加工が容易となっている。
【００１６】
まず、図３で示すように、天井野縁１ａ、１ｂ間の空間に、水平方向に配置したねじくぎ４ａで固定用木材３を取り付ける。ここで、図２に示すように、固定用木材３は、天井野縁１ａ、１ｂ間の空間で両端と中央部との３箇所に取り付けられる。つぎに、垂直方向に配置したねじくぎ４ｂで固定用木材３に上端の枠材２１を取り付けることで、間仕切壁パネル２を天井スラブ６１に固定する。この後に、野縁受け６３の下側に、天井材６５を配設することで、屋根裏が形成される。なお、天井材６５は、野縁受け６３に取り付けてもよいし、天井野縁１ａ、１ｂとは別の場所に、天井野縁を設けて、これに取り付けてもよい。ここで、間仕切壁パネル２は、天井材６５を貫通した状態となる。この後に、間仕切壁パネル２と天井材６５とのコーナー部分にシリコーン等を付着させることで、クロスコーキング６７を形成する。
【００１７】
ここで、本実施形態では、床の構造は、床スラブ７２の上面に支持脚７３を設けて、これによって、上面床材７１が支持されている二重床構造となっている。この床下には、電力線や通信線等の電線８が配線されていて、必要な場所で、電線８を上面床材７１の上面に取り出すことができる構造となっている。このような二重床構造では、上面床材７１では、間仕切壁パネル２を支持するだけの強度を有していない。このために、間仕切壁パネル２は、上面床材７１の上面とは直接に接触していない構造となっていて、間仕切壁パネル２は、上部のみで支持されている。ただし、下端の枠材２２と上面床材とを係止する金具（図示せず）を取り付けることで、間仕切壁パネル２が左右に揺動するのを防止している。この後に、屋根裏に配線されている電線８を天井野縁１ａ、１ｂ間の空間から、間仕切壁パネル２の中空部２４を通して、上面床材７１と床スラブ７２との間の空間へと引き出す。このことで、床下に電線８を配線することができる。なお、電線８を間仕切壁パネル２に通す時には、上端の枠材２１と下端の枠材２２には、ドリルで孔を穿設する。
【００１８】
本実施形態では、間仕切壁パネル２が取り付けられているのは、容易には変形しない剛体の固定用木材３であるので、経時変化や振動等の影響で、間仕切壁パネル２が下方に垂下していくことはほとんどない。このために、従来の固定構造とは異なり、クロスコーキング６７が、天井材６５から剥離するおそれがなく、外観を損ねることがない。また、間仕切壁パネル２は、ねじくぎ４ａによって水平方向に、ねじくぎ４ｂによって垂直方向に、すなわち両方向に支持されているので、従来の構造よりも固定強度が強くなる。また、並設されている天井野縁１ａ、１ｂの間に空間があるので、屋根裏から電線８をこの空間から間仕切壁パネル２の内部を通過して、上面床材７１の下側へと引き出して配線することができる。
【００１９】
なお、天井野縁１ａ、１ｂを支持するのは、野縁受け６３を用いる構成に限らず、天井スラブから吊り下げた金具で直接に天井野縁１ａ、１ｂを支持してもよい。また、間仕切壁パネル２を取り付ける固定用木材３は、本実施形態のように３個には限らない。間仕切壁パネルの大きさや重量に応じて増減すればよい。また、図２では、取り付けるねじくぎは、各１個ずつとなっているが、複数個であってもよい。さらに、木材を固定するのは、ねじくぎに限らず、金槌で打ちつけるくぎであってもよい。
【００２０】
（実施形態２）
実施形態２に係る間仕切壁の天井固定構造を、図４及び図５に基づいて説明する。図４は、固定用係止片を固定用木材に取り付けた状態を示す斜視図で、図５は、固定構造の主要部を示す断面図である。なお、実施形態１と同一の構造部分には、同じ符号を付している。
【００２１】
５は、固定用係止片であり、鉄板を折り曲げたものであり、上側は上鍔部５１となっている。固定用係止片５は、まず、固定用木材３の上面以外の３面を覆うように配設され、さらに、天井野縁１ａ、１ｂの上面を上鍔部５１が覆うように配設される。この状態で、図５に示すようにねじくぎ４ｃで、両者を係止させる。この後は、実施形態１と同様にして、間仕切壁パネル２、クロスコーキング６７等を取り付けていくことで、間仕切壁の天井固定構造を実施していく。
【００２２】
本実施形態では、固定用係止片５によっても、天井野縁１ａ、１ｂと固定用木材３とが係止されているので、両者の接合がより強固になる。このため、間仕切壁パネル２の上下方向に外力が加わった場合でも、天井野縁１ａ、１ｂの変形が防止でき、固定強度が確保できる。また、天井野縁１ａ、１ｂに固定用木材３を取り付けるときに、上鍔部５１がガイドの役割を果たすので、固定用木材３の位置決めが容易になる。
【００２３】
【発明の効果】
請求項１に係る発明の間仕切壁の天井固定構造は、天井スラブから吊り下げられている複数の野縁受けを設け、前記野縁受けに橋架されて並設されている天井野縁を配設し、前記天井野縁の間に固定用木材を設け、前記固定用木材とその両側に並設されている前記天井野縁とをくぎで固定してなり、前記固定用木材の下部に間仕切壁パネルを設け、前記固定用木材と前記間仕切壁パネルの上端の枠材とをくぎ止めしてなることを特徴としているので、木材にくぎ止めをするという容易な加工によって、前記間仕切壁パネルが経時変化や振動等で下方に垂下していくことがなく、このために、クロスコーキングが、天井材から剥離するおそれがなくなり、外観を損ねることがない。
【００２４】
請求項２に係る発明の間仕切壁の天井固定構造は、請求項１の構成において、並設した前記天井野縁の間に空間を有するように、前記間仕切壁パネルよりも長さが短い前記固定用木材を複数個配設してなることを特徴としているので、請求項１記載の効果に加えて、電線等を屋根裏から前記間仕切壁パネルへと通すことが可能となる。
【００２５】
請求項３に係る発明の間仕切壁の天井固定構造は、請求項１又は請求項２の構成において前記天井野縁と前記固定用木材との間に固定用係止片を設けて両者を係止することを特徴としているので、請求項１又は請求項２記載の効果に加えて、前記間仕切壁パネルの上下方向に外力が加わった場合でも、前記天井野縁の位置ずれが防止でき、固定強度が確保できる。
【００２６】
請求項４に係る発明の間仕切壁の天井固定構造は、請求項３の構成において、前記固定用係止片は、前記天井野縁の上面に係止される上鍔部を有するものであることを特徴としているので、請求３の効果に加えて、前記上鍔部がガイドの役割を果たしているために、前記固定用木材の前記天井野縁に対する位置決めが容易になる。
【００２７】
請求項５に係る発明の間仕切壁の天井固定構造は、請求項１乃至請求項４の構成において、二重床の上面床材上に前記間仕切壁パネルを配設し、天井裏から前記間仕切壁パネルの内部を通過させて前記二重床の内部に電線を配線してなることを特徴としているので、請求項１乃至請求項４記載の効果に加えて、天井裏に配線させている電線を床下に引き出すことができ、上面床材から電線を取り出すことができる。
【図面の簡単な説明】
【図１】実施形態１の天井固定構造の主要部の正面図である。
【図２】実施形態１の天井固定構造の断面図である。
【図３】本実施形態１の天井固定構造の主要部を拡大した断面図である。
【図４】実施形態２の固定用係止片を固定用木材に取り付けた状態を示す斜視図である。
【図５】実施形態２の天井固定構造の主要部を示す断面図である。
【図６】従来の天井固定構造の斜視図である。
【図７】従来の天井固定構造の固定部を各大した断面図であり、図７（ａ）は、取付け状態を示す断面図であり、図７（ｂ）は、間仕切壁パネルが下方に垂下した状態を示す断面図である。
【符号の説明】
１ａ、１ｂ  天井野縁
２          間仕切壁パネル
２１        上端枠材
２２        下端枠材
２３        壁材
２４        中空部
３          固定用木材
４ａ        ねじくぎ（水平方向固定用）
４ｂ        ねじくぎ（垂直方向固定用）
４ｃ        ねじくぎ（固定用係止片の固定用）
５          固定用係止片
５１        上鍔部
６１        天井スラブ
６２        つりボルト
６３        野縁受け
６５        天井材
６７        クロスコーキング
７１        上面床材
７２        床スラブ
７３        支持脚
８          電線
【図１】
2004232200.tif 000003
【図２】
2004232200.tif 000004
【図３】
2004232200.tif 000005
【図４】
2004232200.tif 000006
【図５】
2004232200.tif 000007
【図６】
2004232200.tif 000008
【図７】
2004232200.tif 000009